(57)【要約】【課題】磁気転写装置の転写ユニットにおいて、マスターディスクと被転写用ディスクとの接触面全面を良好な密着状態で挟持することのできる転写ユニットを提供すること。【解決手段】転写ユニットにマスターディスクを保持するディスクホルダを設け、ディスクホルダには、２枚のマスターディスクで被転写用ディスクを挟持した時の、マスターディスク及び被転写用ディスクの内周側空間のエアを吸引する吸引路と、外周側空間のエアを吸引する吸引路とを設け、マスターディスクと被転写用ディスクとの接触面全面に渡って滞留するエアを吸引排出して、マスターディスクと被転写用ディスクとを良好な密着状態で挟持するようにした。【選択図】      図４
2006196120.tif 000002
【特許請求の範囲】
【請求項１】
被転写用ディスクの磁性層に対して情報を転写するためのパターン状の磁性層を備えた２枚のマスターディスクで被転写用ディスクを挟持し、転写用磁界を印加して前記被転写用ディスクの磁性層に前記マスターディスクの情報を磁気的に転写する磁気転写装置の前記被転写用ディスクとマスターディスクとを挟持する転写ユニットにおいて、
前記転写ユニットには、前記マスターディスクを保持するディスクホルダが設けられ、  該ディスクホルダには、２枚のマスターディスクで被転写用ディスクを挟持した時の、前記マスターディスク及び被転写用ディスク中心孔の内周側空間のエアを吸引する吸引路と、前記マスターディスク及び被転写用ディスクの外周側空間のエアを吸引する吸引路とが設けられたことを特徴とする転写ユニット。
【請求項２】
前記内周側空間のエアを吸引する吸引路と外周側空間のエアを吸引する吸引路とは、夫々独立して設けられ、個々に吸引可能に形成されていることを特徴とする請求項１に記載の転写ユニット。
【請求項３】
前記ディスクホルダは、前記マスターディスク及び被転写用ディスクを保持するホルダ板を有しており、前記内周側空間のエアを吸引する吸引路が前記ホルダ板の内部に形成されたことことを特徴とする請求項１又は請求項２に記載の転写ユニット。
【請求項４】
前記ディスクホルダは、前記マスターディスク及び被転写用ディスクを保持するホルダ板を有しており、前記ホルダ板の前記マスターディスクの保持面に前記内周側から外周側に向けて形成された溝からなる吸引路が設けられたことを特徴とする請求項１又は請求項２に記載の転写ユニット。
【請求項５】
前記内周側空間のエアを吸引する吸引路によって前記被転写用ディスクを吸引保持することを特徴とする請求項１、２、３、又は４のうちいずれか１項に記載の転写ユニット。
【請求項６】
前記請求項１乃至請求項５のいずれかに記載の転写ユニットを備えたことを特徴とする磁気転写装置。
【請求項７】
前記請求項６に記載の磁気転写装置によってマスターディスクの情報が磁気転写された被転写用ディスクからなる磁気記録媒体。
【発明の詳細な説明】
【技術分野】
【０００１】
本発明は、磁気転写装置、転写ユニット、及び磁気記録媒体に係り、特にハードディスク装置等に用いられる磁気記録媒体に、マスターディスクからフォーマット情報等の磁気情報パターンを転写する磁気転写装置、磁気記録媒体及びマスターディスクを保持する転写ユニット、及び情報が磁気転写された磁気記録媒体に関する。
【背景技術】
【０００２】
ハードディスク装置やフレキシブルディスク装置等に用いられる高密度磁気記録媒体である磁気ディスクは、高速アクセスが可能であるとともに情報記録容量のより大容量化が求められている。
【０００３】
この大容量化を実現するために、トラック幅はより狭トラック化され、この狭いトラック幅の中で磁気ヘッドを正確に走査する、いわゆるトラッキングサーボ技術が重要な役割を担っている。
【０００４】
磁気ディスクには、所定の間隔でトラッキング用のサーボ信号やアドレス情報信号、及び再生クロック信号等がトラッキングサーボを行うためにプリフォーマットとして記録されている。
【０００５】
このプリフォーマットを正確にかつ短時間で効率的に行う方法として、本出願人は、高密度磁気記録媒体となる被転写用ディスク（以下スレーブディスクと呼称する）に転写すべき情報に対応した凹凸パターンの磁性層を有するマスターディスクを用意するとともに、スレーブディスクの磁性層を予めトラックの一方向に初期磁化し、その後、この初期磁化されたスレーブディスクとマスターディスクとを密着させた状態で初期磁化方向と略逆向きの転写用磁界を印加する磁気転写方法を提案している（例えば、特許文献１参照。）。
【０００６】
この場合、スレーブディスクの磁性層とマスターディスクの磁性層とをディスクホルダで密着挟持した状態で磁気転写を行うが、本出願人は、マスターディスクを吸着保持する吸引路、スレーブディスクを吸着保持する吸引路、及びマスターディスクとスレーブディスクの中心孔の内周側からディスクホルダ内のエアを吸引する吸引路を夫々独立に設けた磁気転写装置のディスクホルダを提案している（例えば、特許文献２参照。）。
【特許文献１】特開２００１−０１４６６７号公報
【特許文献２】特開２００４−０７９０２７号公報
【発明の開示】
【発明が解決しようとする課題】
【０００７】
ところで、前述の磁気転写を行う際、スレーブディスクと２枚のマスターディスクとの密着状態が良好でないと信号抜けや信号変形等の転写不良が発生する。しかし、スレーブディスクを２枚のマスターディスクで押圧をかけながら挟み込んだだけでは、スレーブディスクとマスターディスクとの接触面に部分的に空気溜まりが生じ、その部分が密着不良となる。
【０００８】
このため、前述の特許文献２では、２個のディスクホルダでスレーブディスクと２枚のマスターディスクとを挟持した時の２個のディスクホルダ内部のエアを吸引するために、マスターディスクとスレーブディスクの中心孔の内周側に真空吸引路を設けている。
【０００９】
しかし、特許文献２に記載のように、２個のディスクホルダ内部のエアをマスターディスクとスレーブディスクの中心孔の内周側に設けた真空吸引路から吸引したとしても、スレーブディスクとマスターディスクとの接触面の中で内周側近傍に滞留するエアは内周側に吸引されて排出され、スレーブディスクとマスターディスクの内周側近傍の接触面は密着するが、外周側近傍に滞留するエアは内周側まで十分に吸引されないため、スレーブディスクとマスターディスクの外周側近傍の接触面で密着不良が発生し、その部分で信号抜けや信号変形等の転写不良が生ずるという問題があった。
【００１０】
本発明は、このような事情に鑑みてなされたもので、マスターディスクと被転写用ディスクとを挟持する磁気転写装置の転写ユニットにおいて、マスターディスクと被転写用ディスクとの接触面全面を良好な密着状態で挟持することのできる転写ユニットを提供し、信号抜けや信号変形等の転写不良が発生しない磁気転写装置を提供するとともに、信号抜けや信号変形等の転写不良のない磁気記録媒体を提供することを目的とする。
【課題を解決するための手段】
【００１１】
本発明は、前記目的を達成するために、被転写用ディスクの磁性層に対して情報を転写するためのパターン状の磁性層を備えた２枚のマスターディスクで被転写用ディスクを挟持し、転写用磁界を印加して前記被転写用ディスクの磁性層に前記マスターディスクの情報を磁気的に転写する磁気転写装置の前記被転写用ディスクとマスターディスクとを挟持する転写ユニットにおいて、前記転写ユニットには、前記マスターディスクを保持するディスクホルダが設けられ、該ディスクホルダには、２枚のマスターディスクで被転写用ディスクを挟持した時の、前記マスターディスク及び被転写用ディスク中心孔の内周側空間のエアを吸引する吸引路と、前記マスターディスク及び被転写用ディスクの外周側空間のエアを吸引する吸引路とが設けられたことを特徴とする。
【００１２】
本発明によれば、マスターディスクを保持するディスクホルダには、２枚のマスターディスクで被転写用ディスクを挟持した時の、マスターディスク及び被転写用ディスク中心孔の内周側空間のエアを吸引する吸引路と、マスターディスク及び被転写用ディスクの外周側空間のエアを吸引する吸引路とが設けられているので、マスターディスクと被転写用ディスクとの接触面全面に渡って滞留するエアが吸引排出され、マスターディスクと被転写用ディスクとを良好な密着状態で挟持することができ、信号抜けや信号変形等の転写不良のない良好な磁気転写を行うことができる。
【００１３】
また本発明は、前記発明において、前記内周側空間のエアを吸引する吸引路と外周側空間のエアを吸引する吸引路とは、夫々独立して設けられ、個々に吸引可能に形成されていることを特徴とする。
【００１４】
これによれば、内周側空間のエアを吸引する吸引路と外周側空間のエアを吸引する吸引路とは、夫々独立して設けられ、個々に吸引できるので、マスターディスクと被転写用ディスクとの接触面全面に渡って最良の密着状態を形成することができる。
【００１５】
また本発明は、前記発明において、前記ディスクホルダは、前記マスターディスク及び被転写用ディスクを保持するホルダ板を有しており、前記内周側空間のエアを吸引する吸引路が前記ホルダ板の内部に形成されたことことを特徴とする。これによれば、ホルダ板の内部にエアの吸引路が形成されているので、転写信号に歪が発生する等の悪影響を与える心配がない。
【００１６】
また本発明は、前記発明において、前記ディスクホルダは、前記マスターディスク及び被転写用ディスクを保持するホルダ板を有しており、前記ホルダ板の前記マスターディスクの保持面に前記内周側から外周側に向けて形成された溝からなる吸引路が設けられたことを特徴とする。これによれば、内周側の吸引路を容易に形成することができる。
【００１７】
また本発明は、前記発明において、前記内周側空間のエアを吸引する吸引路によって前記被転写用ディスクを吸引保持することを特徴とする。これによれば、被転写用ディスクを吸引保持するための専用の吸引路を設ける必要がなく、装置の構成が単純化する。
【００１８】
本発明の磁気転写装置は、前述の発明に係る転写ユニットを備えたことを特徴とする磁気転写装置であり、２枚のマスターディスクとスレーブディスクとの間の密着不良による信号抜けや信号変形等の転写不良が発生することがない。
【００１９】
また本発明の磁気記録媒体は、前述の発明に係る磁気転写装置によってマスターディスクの情報が磁気転写された被転写用ディスクからなる磁気記録媒体であり、信号抜けや信号変形等の転写不良を有しない。
【発明の効果】
【００２０】
以上説明したように本発明に係る被転写用ディスクを２枚のマスターディスクで密着挟持する磁気転写装置の転写ユニットによれば、マスターディスク及び被転写用ディスク中心孔の内周側空間のエアを吸引する吸引路の他に、マスターディスク及び被転写用ディスクの外周側空間のエアを吸引する吸引路が設けられているので、マスターディスクと被転写用ディスクとの接触面のエアが吸引排出され、マスターディスクと被転写用ディスクとを良好な密着状態で挟持することができる。
【発明を実施するための最良の形態】
【００２１】
以下添付図面に従って、本発明に係る磁気転写装置の転写ユニットの好ましい実施の形態について詳説する。なお、各図において同一部材には同一の番号または記号を付している。
【００２２】
図１は、磁気転写装置の概念を表わす斜視図である。磁気転写装置１は、図１には記載していない被転写用ディスクであるスレーブディスクを、２枚のマスターディスクで密着挟持する第１のディスクホルダ１１と第２のディスクホルダ１２とを有する転写ユニット１０、第１のディスクホルダ１１と第２のディスクホルダ１２の上面及び下面に配置された磁石３１を有する転写用磁界印加手段３０、第１のディスクホルダ１１と第２のディスクホルダ１２又は磁石３１、３１を図の矢印Ａ方向に相対的に回転させる図示しない回転手段、及びスレーブディスクとマスターディスクとを転写ユニット１０に搬入、搬出する図示しない搬送手段等で構成されている。
【００２３】
図２は、磁気転写装置１の実施の形態を表わす側面図である。磁気転写装置１のベース１０ａ上には転写ユニット１０が設けられ、転写用磁界印加手段３０、３０は図のＸ方向の水平移動と図のθ方向の回転運動を行う駆動手段３２、３２で磁石３１、３１を保持している。
【００２４】
図３は、転写ユニット１０の構成を説明するための側面図である。転写ユニット１０は、第１のディスクホルダ１１、第２のディスクホルダ１２、第１のディスクホルダ１１の姿勢調整を行うチルチング調整手段２３、及び第２のディスクホルダ１２を第１のディスクホルダ１１に対して接近又は離間させる移動手段４０等から構成されている。
【００２５】
図３に示すように、転写ユニット１０のユニットベース２９には取り付け板２７が固定され、取り付け板２７にはチルチング調整手段２３を構成するチルチングベース２４が取り付けられている。チルチングベース２４には第１のディスクホルダ１１が図３のＹ方向（紙面に垂直方向）及びＺ方向の傾斜調整が可能に取り付けられている。
【００２６】
チルチング調整手段２３は、チルチングベース２４、４個の先端が球形の微調ネジ（調整ボルト）２５、２５、…と４個のクランプネジ２６、２６、…とからなる調整部材とで構成されている。微調ネジ２５は押しネジでクランプネジ２６は引きネジとして作用する。
【００２７】
また、第１のディスクホルダ１１は、スレーブディスクとマスターディスクとを保持するホルダ板１３、ホルダ板１３を複数のＬ字状コマ（固定部材）１７、１７、…を介して固定保持する中間板（取り付け部材）１６、中間板１６を位置決め固定するディスクホルダベース１８等で構成されている。
【００２８】
ディスクホルダベース１８は、一方の面に凹部１８ａを有しており、ホルダ板１３を固定保持した中間板１６を凹部１８ａに挿入し、押圧部材である押しネジ１９で中間板１６の上部側面を押圧することにより中間板１６の他の側面２面がディスクホルダベース１８の凹部１８ａの壁面に形成された位置規制部位に当接し、中間板１６が位置決めされるようになっている。このため、押しネジ１９を緩め、ホルダ板１３を中間板１６ごとディスクホルダベース１８から取りはずしても又再現性良く位置決めが可能である。
【００２９】
このために、ホルダ板１３でスレーブディスクとマスターディスクとを保持した時のスレーブディスクとマスターディスクの中心線ＣＬを所定位置にあわせこむ調整を磁気転写装置１の外部で行うことができる。
【００３０】
取り付け板２７、チルチングベース２４、ディスクホルダベース１８、及び中間板１６の夫々中央部には図の点線で示す貫通孔が形成されており、転写用磁界印加手段３０の磁石３１が中心線ＣＬを中心に回転可能に挿入されるようになっている。
【００３１】
また、転写ユニット１０のユニットベース２９にはリニアガイド４２が設けられ、テーブル４１を図３のＸ方向に案内し、テーブル４１はモータ４４で駆動されるボールネジ４３によって図のＸ方向に移動されるようになっている。このリニアガイド４２、テーブル４１、ボールネジ４３、及びモータ４４等で移動手段４０を構成している。
【００３２】
移動手段４０のテーブル４１には取り付け板２８が固定されており、取り付け板２８には第２のディスクホルダ１２が取り付けられている。第２のディスクホルダ１２は、マスターディスクを保持するホルダ板２０、ホルダ板２０を複数のＬ字状コマ１７、１７、…を介して固定保持する中間板２１、中間板２１を位置決め固定するディスクホルダベース２２等で構成されている。
【００３３】
ディスクホルダベース２２は、一方の面に凹部２２ａを有しており、ホルダ板２０を固定保持した中間板２１を凹部２２ａに挿入し、押しネジ１９で中間板２１の上部側面を押圧することにより中間板２１の他の側面２面がディスクホルダベース２２の凹部２２ａの壁面に形成された位置規制部位に当接し、中間板２１が位置決めされるようになっている。このため、押しネジ１９を緩め、ホルダ板２０を中間板２１ごとディスクホルダベース２２から取りはずしても又再現性良く位置決めが可能である。
【００３４】
このために、ホルダ板２０でマスターディスクを保持した時のマスターディスクの中心線ＣＬを第１のディスクホルダ１１のホルダ板１３でスレーブディスクとマスターディスクとを保持した時のスレーブディスクとマスターディスクの中心線ＣＬとに一致させるようにあわせこむ調整を磁気転写装置１の外部で行うことができる。
【００３５】
また、取り付け板２８、ディスクホルダベース２２、及び中間板２１の夫々中央部には図の点線で示す貫通孔が形成されており、他方側の転写用磁界印加手段３０の磁石３１が中心線ＣＬを中心に回転可能に挿入されるようになっている。
【００３６】
第２のディスクホルダ１２は前述のように、移動手段４０によって図のＸ方向に接近又は離間されるようになっているので、第２のディスクホルダ１２を第１のディスクホルダ１１に向けて接近させることにより、磁気転写されるスレーブディスクは第１のディスクホルダ１１及び第２のディスクホルダ１２に保持されたマスターディスクに両側から密着保持されるようになっている。
【００３７】
図４は、第１のディスクホルダ１１のホルダ板１３、及び第２のディスクホルダ１２のホルダ板２０を表わす断面図である。第１のディスクホルダ１１のホルダ板１３は、円板状で周縁部に薄肉部が形成されており、この薄肉部で複数のＬ字状コマ１７、１７、…を介して中間板１６に固定保持されるようになっている。
【００３８】
また、ホルダ板１３の中央部は大きな凹部になっており、凹部の底面がディスク受け面（保持面）１３ｂになっている。また、ホルダ板１３の側面から内部に向けて１個の小径の孔１３ｅが形成され、中央部でディスク受け面１３ｂに開口されている。また、ホルダ板１３の別の側面から内部に向けて１個の小径の孔穴１３ｆが形成され、ホルダ板１３の凹部に到達した位置でディスク受け面１３ｂに開口されている。
【００３９】
この小径の孔１３ｅは、ホルダ板１３と第２のディスクホルダ１２のホルダ板２０とでマスターディスク９２、スレーブディスク９１、及びマスターディスク９３を挟持した時のディスク中心孔の内周側の空間Ｐのエアを吸引する吸引路１３ｅであり、小径の孔１３ｆはディスクの外周側の空間Ｑのエアを吸引する吸引路１３ｆである。夫々の吸引路は独立して図示しない真空源に接続され、空間Ｐ及び空間Ｑのエアを吸引する。
【００４０】
なお、吸引路１３ｅ及び吸引路１３ｆを小径の孔で形成したが、ホルダ板１３のディスク受け面１３ｂに内周側から外周側に向けて２本の溝を形成し、吸引路１３ｅ及び吸引路１３ｆとすることもできる。この場合、溝の寸法は幅０．５ｍｍ、深さ０．５ｍｍ程度が好ましい。溝の寸法が大きすぎると磁気転写時の信号に歪をきたすことがあり、好ましくない。
【００４１】
ホルダ板１３の凹部の底面であるディスク受け面１３ｂには緩衝材１５が取り付けられている。また、ホルダ板１３の凹部と薄肉部との間の厚肉部には溝１３ｃが形成され、溝１３ｃにはО−リングからなるシール材１４が設けられている。
【００４２】
ホルダ板１３の凹部の底面には、図４の２点鎖線で示すような、前述の吸引路１３ｅ、吸引路１３ｆとは別の真空吸引路１３ｄが形成され、マスターディスク９２を吸着保持する。
【００４３】
第２のディスクホルダ１２のホルダ板２０も円板状で周縁部に薄肉部が形成されており、この薄肉部で複数のＬ字状コマ１７、１７、…を介して中間板２１に固定保持されるようになっている。
【００４４】
また、ホルダ板２０の内部も大きな凹部になっており、凹部の底面がディスク受け面２０ａになっている。また、ディスク受け面２０ａには緩衝材１５が取り付けられている。ホルダ板２０の凹部の底面には図４の２点鎖線で示す真空吸引路２０ｂが形成され、マスターディスク９３を吸着保持する。
【００４５】
また、図４に示すように、スレーブディスク９１の中心孔の径はマスターディスク９２、９３の中心孔の径よりも小径に形成されており、吸引路１３ｅで真空吸引した時にこの中心孔の径差によって生ずるスレーブディスク９１の露出面に吸引力が作用し、スレーブディスク９１がマスターディスク９２に固定される。
【００４６】
なお、マスターディスク９２のホルダ板１３への保持及びマスターディスク９３のホルダ板２０への保持は、真空吸引路１３ｄ及び真空吸引路２０ｂを設けて吸着保持するようにしたが、真空吸引路１３ｄ及び真空吸引路２０ｂを設けずに、ホルダ板１３及びホルダ板２０の緩衝材１５に接着で取り付けるようにしてもよい。
【００４７】
図４に示すようにホルダ板１３でマスターディスク９２とスレーブディスク９１を保持し、ホルダ板２０でマスターディスク９３を保持した状態でホルダ板２０をホルダ板１３に向けて近接させ、マスターディスク９２とマスターディスク９３とでスレーブディスク９１を挟み込んだときに、ホルダ板２０の凹部と薄肉部との間の厚肉部がホルダ板１３のＯ−リング１４に僅かに当接するように、ホルダ板１３及びホルダ板２０の凹部の深さが決定されている。
【００４８】
ホルダ板２０をホルダ板１３に向けて近接させ、マスターディスク９２とマスターディスク９３とでスレーブディスク９１を挟み込むと、ホルダ板１３の凹部とホルダ板２０の凹部とで形成される空間はシール材としてのＯ−リング１４で密閉される。
【００４９】
この状態で吸引路１３ｅからマスターディスク９２、９３とスレーブディスク９１の内周部の空間Ｐのエアを真空吸引し、吸引路１３ｆからマスターディスク９２、９３とスレーブディスク９１の外周部の空間Ｑのエアを真空吸引することにより、マスターディスク９２とスレーブディスク９１、及びスレーブディスク９１とマスターディスク９３との接触面に部分的に滞留していたエアがディスクの内周側及びディスクの外周側に排出され、接触面には隙間がなくなって、スレーブディスク９１はマスターディスク９２とマスターディスク９３とで密着挟持される。
【００５０】
以上説明した転写ユニット１０を構成する部材のうち、安定した転写磁界を印加するために、少なくとも第１のディスクホルダ１１、第２のディスクホルダ１２、第１のディスクホルダ１１の姿勢調整を行うチルチング調整手段２３、及び取り付け板２７、２８の材質は、例えばＳＵＳ３０４等の非磁性材料が用いられる。
【００５１】
次に、磁気転写装置１の転写ユニット１０の作用について以下に説明する。最初に、第１のディスクホルダ１１のホルダ板１３のディスク受け面１３ｂが第２のディスクホルダ１２のホルダ板２０のディスク受け面２０ａに対して平行になるように、第１のディスクホルダ１１の姿勢を調整する。この調整はチルチング調整手段２３にて行う。即ち、チルチング調整手段２３に設けられた複数の微調ネジ２５又はクランプネジ２６のうち少なくとも３個を用いて行う。
【００５２】
次に、中間板１６の外形を基準として、ホルダ板１３でスレーブディスク９１とマスターディスク９２とを保持した時のスレーブディスク９１とマスターディスク９２の中心線ＣＬが所定位置になるようにホルダ板１３の位置を調整し、次いでホルダ板１３を中間板１６に固定する。
【００５３】
この時、Ｌ字状コマ１７、１７、…を介してネジで固定する。なお、Ｌ字状コマ１７、１７、…は挟み込み方向以外の方向への移動や回転が規制されているので、正確に位置調整されたホルダ板１３が固定時にずれることがない。
【００５４】
なお、このホルダ板１３の位置調整は、磁気転写装置１の外部でいわゆる外段取りで行う。次いで中間板１６をディスクホルダベース１８の凹部１８ａに挿入し、押しネジ１９で中間板１６を押圧する。
【００５５】
これにより、中間板１６はディスクホルダベース１８の凹部１８ａに形成された位置規制面に押圧され、再現性よく位置決めされる。
【００５６】
第２のディスクホルダ１２のホルダ板２０も同様にして、ホルダ板２０でマスターディスク９３を保持した時のマスターディスク９３の中心線ＣＬが所定位置になるように調整し、ホルダ板２０を中間板２１に固定する。この時も、Ｌ字状コマ１７、１７、…を介してネジで固定する。この調整も、外段取りで行う。次いで第１のディスクホルダ１１同様に中間板２１をディスクホルダベース２２の凹部２２ａに挿入し、押しネジ１９で中間板２１を押圧して位置決めする。
【００５７】
以上のディスクホルダ１１のチルチング調整、及びホルダ板１３、２０の位置調整によって、ディスクホルダ１１の前述した中心線ＣＬとディスクホルダ１２の前述した中心線ＣＬとが同一直線上で一致する。
【００５８】
次に、ディスクホルダ１１のホルダ板１３にマスターディスク９２を挿入し、真空吸引路１３ｄで真空吸引して保持する。更にマスターディスク９２と重ねるようにスレーブディスク９１を挿入して吸引路１３ｅで真空吸引することにより、スレーブディスク９１を固定状態にする。
【００５９】
また、ディスクホルダ１２のホルダ板２０にマスターディスク９３を挿入し、真空吸引路２０ｂで真空吸引保持する。次いで移動手段４０を作動させ、ディスクホルダ１２をディスクホルダ１１に向けて接近させ、ホルダ板１３に保持されたスレーブディスク９１にホルダ板２０に保持されたマスターディスク９３を押付ける。
【００６０】
この押付けにより、緩衝材１５、１５に反発力が生じるとともに、ホルダ板１３の凹部とホルダ板２０の凹部とで形成される空間はシール材としてのＯ−リング１４で密閉されているので、吸引路１３ｅによってディスクの内周側空間のエアを吸引し、吸引路１３ｆによってディスクの外周側空間のエアを吸引することにより、マスターディスク９２とスレーブディスク９１との接触面、及びスレーブディスク９１とマスターディスク９３との接触面に僅かに滞留していたエアが排出され、両ディスクの接触面が互いに吸引され、スレーブディスク９１がマスターディスク９２とマスターディスク９３とによって確実に密着挟持される。
【００６１】
このように、スレーブディスク９１がマスターディスク９２とマスターディスク９３によって確実に密着挟持されるので、転写用磁界印加手段３０、３０から転写磁界を印加し、マスターディスク９２及びマスターディスク９３の磁気情報をスレーブディスク９１に転写する際に、信号抜けや信号変形等の転写不良が発生することがなく、良質の磁気記録媒体が得られる。
【００６２】
次に、本発明の転写ユニットの別の実施形態について説明する。図５は、この別の実施形態に係る第１のディスクホルダ１１のホルダ板１３Ａ、及び第２のディスクホルダ１２のホルダ板２０を表わす断面図である。
【００６３】
ホルダ板１３Ａは、前述のホルダ板１３に対してエアを吸引する吸引路が異なる。ホルダ板１３Ａの側面から内部に向けて１個の小径の孔１３ｆが形成され、ホルダ板１３の凹部に到達した位置でディスク受け面１３ｂに開口されている。
【００６４】
また、ホルダ板１３Ａのディスク受け面１３ｂには、ディスク受け面１３ｂの中央部から小径の孔１３ｆの開口部に向けて１個の溝１３ｇが形成され、小径の孔１３ｆの開口部に接続されている。この溝の寸法は幅０．５ｍｍ、深さ０．５ｍｍ程度が好ましい。溝の寸法が大きすぎると磁気転写時の信号に歪をきたすことがあり、好ましくない。
【００６５】
この別の実施形態では、ディスクの内周側空間のエアを溝１３ｇを経由して小径の孔１３ｆで吸引するようになっており、外周側空間と内周側空間のエアを共通の吸引路で真空吸引するもので、吸引路を形成するための加工が容易である。
【００６６】
以上説明したように、本発明に係る磁気転写装置の転写ユニットによれば、マスターディスクを保持するディスクホルダには、２枚のマスターディスクで被転写用ディスクを挟持した時の、マスターディスク及び被転写用ディスク中心孔の内周側空間のエアを吸引する吸引路と、マスターディスク及び被転写用ディスクの外周側空間のエアを吸引する吸引路とが設けられているので、マスターディスクと被転写用ディスクとの接触面全面に渡って滞留するエアが吸引排出され、マスターディスクと被転写用ディスクとを良好な密着状態で挟持することができ、信号抜けや信号変形等の転写不良のない良好な磁気転写を行うことができる。
【００６７】
また、本発明の磁気転写装置によれば、２枚のマスターディスクとスレーブディスクとの接触面の密着不良によって信号抜けや信号変形等の転写不良が発生することが防止される。
【００６８】
また本発明の磁気記録媒体によれば、マスターディスクから転写された磁気情報は信号抜けや信号変形等の転写不良がなく、マスターディスクの情報が正確に記録された磁気記録媒体となる。
【００６９】
なお、前述した実施の形態では、磁気転写装置１の構成について、スレーブディスク９１及びマスターディスク９２、９３の軸心を水平方向に配置した構成で説明したが、水平方向に限らず、垂直方向、あるいは水平方向に対して所定角度傾斜した方向に配置した構成の磁気転写装置であっても、本発明の転写ユニット１０はそのまま適用することができる。
【図面の簡単な説明】
【００７０】
【図１】磁気転写装置の概念を表わす斜視図
【図２】磁気転写装置の実施の形態を表わす側面図
【図３】本発明に係る転写ユニットの実施の形態を表わす側面図
【図４】ディスクホルダのホルダ板を表わす断面図
【図５】ホルダ板の別の実施形態を表わす断面図
【符号の説明】
【００７１】
１…磁気転写装置、１０…転写ユニット、１１…第１のディスクホルダ（ディスクホルダ）、１２…第２のディスクホルダ（ディスクホルダ）、１３・１３Ａ…ホルダ板、１３ｂ…ディスク受け面（保持面）、１３ｅ・１３ｆ…吸引路（孔）、１３ｇ…溝（吸引路）、１６…中間板、１８…ディスクホルダベース、１９…押しネジ、２０…ホルダ板、２３チルチング調整手段、４０…移動手段、９１…スレーブディスク（被転写用ディスク）、９２・９３…マスターディスク、Ｐ…内周側空間、Ｑ…外周側空間
【図１】
2006196120.tif 000003
【図２】
2006196120.tif 000004
【図３】
2006196120.tif 000005
【図４】
2006196120.tif 000006
【図５】
2006196120.tif 000007